(57)【要約】【課題】地震等によって柱が傾いても、外壁材は割れたり落下したりせず、また、シーリング切れも発生しない外壁材の取付構造を提供する。【解決手段】基礎１上に土台２が設けられる。土台２に複数の柱３が立設される。これらの柱３の上部に梁４が架設される。複数の外壁下地材５の上端及び下端にそれぞれ上横桟６及び下横桟７が架設されることによって外壁下地枠８が形成される。外壁下地枠８の上横桟６のみが梁４に固定される。複数の外壁材９が隣接して外壁下地枠８に取り付けられる。【選択図】図１
2006037635.tif 000002
【特許請求の範囲】
【請求項１】
基礎上に土台が設けられ、土台に複数の柱が立設され、これらの柱の上部に梁が架設されると共に、複数の外壁下地材の上端及び下端にそれぞれ上横桟及び下横桟が架設されることによって外壁下地枠が形成され、この外壁下地枠の上横桟のみが梁に固定されると共に、複数の外壁材が隣接して外壁下地枠に取り付けられて成ることを特徴とする外壁材の取付構造。
【請求項２】
基礎上に土台を設け、土台に複数の柱を立設し、これらの柱の上部に梁を架設すると共に、複数の外壁下地材の上端及び下端にそれぞれ上横桟及び下横桟を架設することによって外壁下地枠を形成し、この外壁下地枠の上横桟のみを梁に固定すると共に、複数の外壁材を隣接させて外壁下地枠に取り付けることを特徴とする外壁材の取付方法。
【発明の詳細な説明】
【技術分野】
【０００１】
本発明は、住宅等の建築物における外壁材の取付構造及び外壁材の取付方法に関するものである。
【背景技術】
【０００２】
従来、住宅等の建築物において、外壁材９（サイディング）は図３に示すようにして取り付けられていた。まず、図３（ａ）に示すように、基礎１上に土台２を設け、この土台２に複数の柱３を立設させた後、これらの柱３の上部に梁４を架設する。次に、複数の外壁下地材５（縦胴縁）を柱３に固定したり、外壁下地材５の上端及び下端をそれぞれ梁４及び土台２に固定したりする。そして、図３（ｂ）に示すように、複数の外壁材９を上下左右に隣接させると共に、各外壁材９を外壁下地材５に固定具で取り付けるようにしていた。図３（ｂ）中、１４は左右に隣接する外壁材９によって形成される目地である。そして、特に耐震性と免震性を向上させるようにした技術も種々提供されている（例えば、特許文献１参照。）。
【特許文献１】特開２００４−１７６４０９号公報
【発明の開示】
【発明が解決しようとする課題】
【０００３】
しかしながら、上記のような外壁材の取付構造にあっては、図４に示すように、地震等によって柱３が土台２に沿って傾くと、柱３に固定された外壁下地材５や、梁４と土台２の両方に固定された外壁下地材５も、柱３と同様に傾いてしまう。そうすると、外壁下地材５に取り付けた外壁材９に歪みがかかることによって、外壁材９に亀裂が入って割れたり、外壁材９が落下したりする。また、図４（ｂ）に示すように、上下の目地１４が左右にずれることによって、いわゆるシーリング切れも発生する。
【０００４】
本発明は上記の点に鑑みてなされたものであり、地震等によって柱が傾いても、外壁材は割れたり落下したりせず、また、シーリング切れも発生しない外壁材の取付構造及び外壁材の取付方法を提供することを目的とするものである。
【課題を解決するための手段】
【０００５】
本発明の請求項１に係る外壁材の取付構造は、基礎１上に土台２が設けられ、土台２に複数の柱３が立設され、これらの柱３の上部に梁４が架設されると共に、複数の外壁下地材５の上端及び下端にそれぞれ上横桟６及び下横桟７が架設されることによって外壁下地枠８が形成され、この外壁下地枠８の上横桟６のみが梁４に固定されると共に、複数の外壁材９が隣接して外壁下地枠８に取り付けられて成ることを特徴とするものである。
【０００６】
本発明の請求項２に係る外壁材の取付方法は、基礎１上に土台２を設け、土台２に複数の柱３を立設し、これらの柱３の上部に梁４を架設すると共に、複数の外壁下地材５の上端及び下端にそれぞれ上横桟６及び下横桟７を架設することによって外壁下地枠８を形成し、この外壁下地枠８の上横桟６のみを梁４に固定すると共に、複数の外壁材９を隣接させて外壁下地枠８に取り付けることを特徴とするものである。
【発明の効果】
【０００７】
本発明の請求項１に係る外壁材の取付構造によれば、地震等によって柱が土台に沿って傾いても、外壁下地枠は変形せず、外壁下地枠に取り付けた外壁材に歪みがかからないことによって、外壁材に亀裂が入って割れたり、外壁材が落下したりするのを防止することができ、また、シーリング切れの発生も防止することができるものである。
【０００８】
本発明の請求項２に係る外壁材の取付方法によれば、地震等によって柱が土台に沿って傾いても、外壁下地枠は変形せず、外壁下地枠に取り付けた外壁材に歪みがかからないことによって、外壁材に亀裂が入って割れたり、外壁材が落下したりするのを防止することができ、また、シーリング切れの発生も防止することができるものである。
【発明を実施するための最良の形態】
【０００９】
以下、本発明の実施の形態を説明する。
【００１０】
図１は本発明に係る外壁材の取付構造の一例を示すものである。この例では、まず、コンクリート等で形成される基礎１上にアンカーボルト等を用いて土台２を設ける。次に、箱金物等を用いて、土台２に複数の柱３を離間して立設すると共に、これらの柱３の上部に梁４を架設する。ここで、柱３には間柱も含まれる。
【００１１】
一方、複数の外壁下地材５（縦胴縁）を並行に配置し、これらの外壁下地材５の上端及び下端にそれぞれ上横桟６及び下横桟７を架設することによって、外壁下地枠８を形成する。そして、この外壁下地枠８の上横桟６のみを梁４の屋外側にボルト１２等で固定する。ここで、外壁下地枠８は柱３及び土台２には固定されていない。なお、図１（ａ）に示すように、各柱３の屋外側に透湿防水シート１３を張設し、この透湿防水シート１３を介して外壁下地枠８の上横桟６のみを梁４に固定してもよい。
【００１２】
その後、複数の外壁材９を上下左右に隣接させて外壁下地枠８に固定具で取り付けることによって、図１（ｃ）に示すような外壁材の取付構造を形成することができる。なお、固定具としては、図示省略しているが、従来の留め金具及び留め金具用ビスからなるもの等を用いることができる。また、左右に隣接する外壁材９によって形成される目地１４は、湿式シール材や乾式シール材を用いて目張りをする。そして、上記のようにして形成される外壁材の取付構造にあっては、図２に示すように、地震等によって柱３が土台２に沿って傾いても、外壁下地枠８は梁４から垂れ下がっているだけで、柱３にも土台２にも固定されていないので、外壁下地枠８自体が変形するようなことはないものである。そのため、このような外壁下地枠８に取り付けた外壁材９にも歪みがかからず、これにより、外壁材９に亀裂が入って割れたり外壁材９が落下したりするのを防止することができるものである。また、上下の目地１４が左右にずれることもないので、シーリング切れの発生も防止することができるものである。
【図面の簡単な説明】
【００１３】
【図１】本発明に係る外壁材の取付構造の一例を示すものであり、（ａ）は断面側面図、（ｂ）は外壁材を取り付ける前の正面図、（ｃ）は外壁材を取り付けた後の正面図である。
【図２】同上の地震時における状態を示すものであり、（ａ）は断面側面図、（ｂ）は外壁材を取り付ける前の正面図、（ｃ）は外壁材を取り付けた後の正面図である。
【図３】従来の外壁材の取付構造の一例を示すものであり、（ａ）は外壁材を取り付ける前の正面図、（ｂ）は外壁材を取り付けた後の正面図である。
【図４】同上の地震時における状態を示すものであり、（ａ）は外壁材を取り付ける前の正面図、（ｂ）は外壁材を取り付けた後の正面図である。
【符号の説明】
【００１４】
１  基礎
２  土台
３  柱
４  梁
５  外壁下地材（縦胴縁）
６  上横桟
７  下横桟
８  外壁下地枠
９  外壁材
【図１】
2006037635.tif 000003
【図２】
2006037635.tif 000004
【図３】
2006037635.tif 000005
【図４】
2006037635.tif 000006